(57)【特許請求の範囲】
【請求項１】
もとの各画像の間に存在する拡大率を維持する編集であって、アスペクト比及び／又はポートレイト又はランドスケープである向きの少なくとも１つによって決定される複数の予め確定されたフォーマットの少なくとも２つのうちから選ばれたフォーマットを有する複数のもとの各画像を当該媒体上で編集するための所与のサイズを有する編集媒体の充填を自動的に最適化する方法であって、
ａ）前記複数の画像を観察する通常の向きに、前記画像を方向付けるステップと、
ｂ）もとの各画像に対して、前記通常の向きに従って、前記編集媒体に配置されるべき前記もとの画像のゾーンの幅と高さとを決定するステップと、
ｃ）前記決定された複数の画像の分布を規定するため、前記幅又は前記高さに対応する主要な基準に従って前記もとの画像を整理するステップと、
ｄ）各々が少なくとも１つのもとの画像を有する複数のバーチャルな行を生成することによって、前記決定された画像の分布に従って編集するため、前記複数のもとの画像を有する編集媒体のバーチャル画像を形成するステップと、
ｅ）ステップｂ）において決定されたそれぞれ幅と高さからの関数であって、ステップｃ）において生成された分布から生成される前記編集媒体のバーチャル画像の前記幅と前記高さを計算するステップと、
ｆ）前記編集媒体がポートレイトフォーマットにより提示されるとき、前記すべての画像が前記編集媒体に完全に含まれるように、前記編集媒体のサイズの範囲内に適合させるため、前記バーチャル画像に適用される第１最大拡大係数と、前記編集媒体がランドスケープフォーマットにより提示されるとき、前記すべての画像が前記編集媒体に完全に含まれるように、前記編集媒体のサイズの範囲内に適合させるため、前記バーチャル画像に適用される第２最大拡大係数とを計算するステップと、
ｇ）前記第１及び第２歳代拡大係数の最大数に対応して、前記分布において前記複数の画像を編集するステップと、
を有する方法。
【請求項２】
前記決定された分布は、複数入力テーブルによって取得され、その入力は、もとの画像の各種フォーマットであり、その出力は、前記編集媒体上の前記複数の画像の決定された分布である、請求項１記載の方法。
【請求項３】
ステップｄ）乃至ｆ）が繰り返され、前記使用されているフォーマットによる前記編集媒体上で以前に行われた前記複数の画像の整理中に使用されていない前記幅又は前記高さの何れが利用され、ステップｆ）において計算された前記拡大係数の最大数に対応して、前記分布において前記複数の画像が編集される、請求項１記載の方法。
【請求項４】
各行に最大２つの画像が配置される最大８つの画像を編集するため、
前記もとの画像の第１順序リストが、編集対象となる前記複数の画像を、前記第１順序リストの奇数個の画像が編集されるときには０から２ｐまで、偶数個の画像が編集されるときには１から２ｐまでインデックスするため、減少する主要な基準として前記幅と、減少する補助的基準として前記高さとを利用することによって生成され、
ゼロの高さの画像が生成され、
ｐ−ｊとｐ＋１＋ｊのインデックスの画像が同一の行に関連付けされる、請求項３記載の方法。
【請求項５】
各行に最大２つの画像が配置される最大８つの画像を編集するため、
前記もとの画像の第１順序リストが、編集対象となる前記複数の画像を、前記第１順序リストの奇数個の画像が編集されるときには０から２ｐまで、偶数個の画像が編集されるときには１から２ｐまでインデックスするため、減少する主要な基準として前記高さと、減少する補助的基準として前記幅とを利用することによって生成され、
ゼロの幅の画像が生成され、
ｐ−ｊとｐ＋１＋ｊのインデックスの画像が同一の行に関連付けされる、請求項３記載の方法。
【請求項６】
前記編集媒体上に編集される前記もとの画像のゾーンの決定は、エッジゾーンが情報を有さず、そのためピクセル密度が一定となる、前記画像が前記もとの画像に配置されるゾーンである、請求項１乃至５何れか一項記載の方法。
【請求項７】
前記編集媒体上に編集される前記もとの画像は、視覚的に決定され、所望される編集ゾーンである、請求項１乃至５何れか一項記載の方法。
【発明の詳細な説明】
【０００１】
【発明の属する技術分野】
本発明はデジタル画像の編集に関し、より詳細には編集媒体の一つの頁に複数の画像を編集することに関する。
【０００２】
【従来の技術】
幾つかのデジタル画像が編集媒体の同じ頁で編集されうることはよく知られている。しかしながらそのような手順は例えば画像を選択し、これらの画像を整列しようとするゾーンを決定するような編集媒体上で一つづつ画像を配列するためのワークステーションの前での事前の準備を必要とする。幾つかの画像を自動的に編集することを望むときに編集テンプレートが編集媒体の頁の充填に用いられる。このテンプレートは相互に特に同一であり、非常にしばしば偶数の画像を受けるよう意図されている。編集テンプレートが選択されたときにテンプレートは編集される画像の数又はそれより少し多い数に等しいゾーンの数を有するよう選択される。
【０００３】
編集のこの型はＭＲＩ又はスキャナー型の装置で形成される一連のデジタル画像のような同一の大きさの画像によく適合する。原理的に編集媒体の一頁で編集される画像の数を知ることが必要である。
デジタルラジオグラフィーで例えば１８ｃｍ  ｘ  ２４ｃｍ，２４ｃｍ  ｘ  ３０ｃｍ，３５ｃｍ  ｘ  ３５ｃｍ又は３５ｃｍ  ｘ  ４３ｃｍのような異なる大きさのフォトルミネッセントメモリープレートが用いられる。これらのプレートはまた図１の（Ａ）に示されるように両方の向きで露出することが可能である。より大きな寸法が縦に配置１１され、これは以下にポートレイトフォーマット又は配置と称し、又はより大きな寸法が横に配置１２され、これは以下にランドスケープフォーマット又は配置と称する。加えて画像マトリックスはカセットの大きさに比例する必要はなく、例えば２４ｃｍ  ｘ  ３０ｃｍカセットと３５ｃｍ  ｘ  ４３ｃｍカセットは同じ２０００  ｘ  ２５００画素のマトリックスを有しうる。
【０００４】
伝統的にＸ線撮影法では画像を形成するために用いられるカセットの大きさは画像を得ようとする部分の寸法の関数として選択される。画像の大きさは画像を記録するために用いられる媒体の大きさに非常に急速に同化される。同一の対象の２つの画像の編集がなされ、各画像は編集媒体の異なる頁にあるときにマトリックスの寸法は表れた対象がどのカセットが用いられても各編集媒体上で同一の大きさを有するように編集される。これは描写された対象又は編集された画像の大きさが画素マトリックスに依存し、画像が捕捉された媒体の物理的な大きさ、即ちカセットの大きさに依存しないからである。
【０００５】
しかしながら幾つかの画像が同一の寸法の幾つかの編集ゾーンからなる編集媒体の一頁に従来の方法で編集されるときに現在あるソフトウエアパッケージはカセットの大きさの放射線写真に対して編集ゾーンの寸法に画像の外的な寸法を適合させる。故に種々の編集された画像又は描写された対象の引き伸ばし率はカセットが同じ大きさ又は同じ向きを有さないときは異なる。
【０００６】
図１の（Ａ）に示されるように２つの同一のカセットにより得られた２つの同一の対象の画像が編集媒体の一頁に、一方はポートレイトフォーマットに配置され、他方はランドスケープフォーマットに配置されるよう編集されるときに同一の大きさ１３、１４の２つの編集ゾーンの画像の従来の編集は各編集ゾーンに適合可能なように画像の拡大率を変更する。この場合には拡大率は画像の最大の長さと画像１２に対するゾーン１４の長さ及び画像１１に対するゾーン１３の幅との比により決定される。結果として異なる大きさの２つの画像が得られる。
【０００７】
図１の（Ｂ）を参照するに２つの異なるカセット２１、２２により得られた２つの同一の対象の画像が２つの同一の編集ゾーン２３、２４を有する編集媒体の一頁で編集されるときに同一の大きさの編集ゾーンに対して通常の方法でなされた画像の適合は異なる拡大率の画像を生ずる。
編集テンプレートが選択されたときに、編集される画像の数がどの利用可能なテンプレートにも対応しないと判明する。この場合には使用者は編集される画像より多くの編集領域を有するテンプレートを選択し、あるゾーンが空のまま残る。これは例えば利用可能なテンプレートが編集ゾーンが偶数番号を有し、あるゾーンが空のまま残るときに生ずる。
【０００８】
特に放射線写真のあるアプリケーションでは読影者は幾つかの画像で一の器官又は他の器官の寸法を評価することが可能でなければならない。故にこれらの画像間で最終編集で元の画像間に存在する拡大率を保存することが重要である。
元の画像間に存在する拡大率の比を保存することが望ましいときに全ての画像に最大の画像の寸法と画像を受容するゾーンの寸法（ゾーンは同一である）との間の比により計算された拡大係数を適用することが必要である。幾つかの画像がこれらの画像間の拡大率の比を保存して一頁に編集されるときに同一の拡大係数が全ての画像に適用される。これらの環境では小さな大きさの放射線写真プレートに形成される画像は編集ゾーンの前面を満たさず、編集媒体の面は最適に使用されない。
【０００９】
故に編集媒体の面の使用を改善することを可能にする編集媒体を充填する方法に対するニーズが存在する。
【００１０】
【発明が解決しようとする課題】
本発明の目的は全てが同じ拡大率を有する媒体上の複数のそれぞれの元画像を表示する所定の大きさの編集媒体の充填を最適化する方法を提供することである。
【００１１】
【課題を解決するための手段】
本発明は
ａ）  画像は通常の観察方位に向けられ；
ｂ）  有効な幅（Ｌｉ）及び有効な高さ（Ｈｉ）は各元画像に対して、この通常の観察方位で決定され；
ｃ）  画像はこれらの画像のそれぞれの寸法の一つに対応する第一の基準及び画像の他の寸法に対応する少なくとも一つの第二の基準により分類され；
ｄ）  画像は少なくとも一つの元画像からなる幾つかの仮想行を形成するために利用可能なフォーマット、ポートレイト又はランドスケイプの一つで仮想編集媒体上に分布され；
ｅ）  段階ｄ）で形成された分布から得られる各仮想行の有効な幅及び有効な高さが計算され；
ｆ）  全ての画像が編集媒体に全体的に含まれるように編集媒体がポートレイトフォーマットで示されるときに編集媒体上の編集されるべき全ての行の配列に適用される第一の最大拡大率を計算し、全ての画像が編集媒体に全体的に含まれるように編集媒体がランドスケイプフォーマットで示されるときに編集媒体上で編集される全ての行の配列に適用される第二の最大拡大率を計算し；
ｇ）  画像は第一又は第二の最大拡大率に最も近い対応する配列で編集されることを特徴とする。
【００１２】
【発明の実施の形態】
本発明の他の利点及び目的は以下に図面を参照した詳細な説明により明らかとなる。
図５に示されるように病院又は大きな医療画像ラボラトリーは種々の型の検査を実施するために用いられる幾つかの型の機器を有する。これらの機器は画像を記録し、必要に応じて編集するためにネットワークのバス１００を介してコンピュータ（図示せず）に画像ファイルを送る。図はＣＴスキャナー１０１、フォトルミネッセントメモリープレートスキャナー１０２、超音波装置１０３、デジタイズテーブル１０４を示す。例えばＭＲＩスキャナーのような他の型の機器を用いることが可能なことは明らかであり、その導入は同じ型の機器の幾つかの項目を含みうる。
【００１３】
編集媒体の一頁又は同じ頁に同一の患者に関する幾つかの画像を編集することが望ましいときにオペレーターはワークステーション１０３により頁の上で編集される画像を選択する。選択された画像は明らかに一以上の画像化機器から入来可能である。ワークステーションは本発明による方法により編集された頁を作成した後に編集ステーション１５０にデジタルファイルを送る。
【００１４】
知られている編集技術では編集媒体上で一頁に編集される画像の数に関する情報は編集テンプレートの選択をなすことによりすぐに用いられる。再生装置それ自体は各編集ゾーンの面を用いるためと同様に記録用に使用されるプレートの寸法により可能であるよう受容された各画像を受容し、各受容された画像にそれぞれ所定の拡大係数を適用してテンプレートの編集ゾーンを満たす。
【００１５】
本発明による方法では編集される画像の集合及び使用される拡大係数はこの集合の寸法を編集媒体の寸法に対応させるために決定される。自動編集システムでは使用者は編集媒体の頁毎に編集される画像の数を前もって供給し、ソフトウエアが集合を形成するために編集される画像全てを受容するまで待つことは明らかである。使用者はまた選択的には小さな画像であるワークステーションから供給されたリストにより編集される画像を選択することは明らかである。編集媒体の一頁で編集される情報全てを受容した後に機器は自動的に編集頁の画像の最良の配置を決定する。
【００１６】
編集媒体の頁は一般に長方形であり、ポートレイト又はランドスケープのいずれかの異なる２つの向きをとりうる。画像はまた通常ポートレイト又はランドスケープの方位を有する長方形である。このような条件下で編集媒体の頁の充填を最適化することを試みるために異なる大きさの画像を関連させることが賢明であると考えられる。
【００１７】
以下の説明で画像の大きさは画像の実際の物理的な大きさ（幅、高さ）に関し、これらの画像を決定するマトリックス（Ｍｘ，Ｍｙ）の寸法には関係しない。各画像はその大きさ（Ｍｘ．ｄ，Ｍｙ．ｄ）により決定され、ここでｄは画素間の距離を表し、Ｍｘは水平方向での画像の画素の数を、Ｍｙは垂直方向での画像の画素の数を表す。編集媒体の頁の物理的な寸法がそれがポートレイト又はランドスケープを表すときに同一であるが、編集面の有効な寸法は異なる。実際に編集媒体のこの頁の４つの縁の異なる境界を有することが可能であり、フォーマッティングソフトウエアはこの可能性を考慮しなければならない。一般に編集媒体はまた特に患者及び編集がなされたラボラトリー名である入力された情報の種々の項目が存在するカートリッジで提供される。図２の（Ｄ）と図３の（Ｄ）に示されるようにポートレイトフォーマットの編集媒体の頁の有効な寸法はＬl ，Ｌh であり、ランドスケープフォーマットの編集媒体の頁の有効な寸法はＬ’l ，Ｌ’h である。
【００１８】
編集媒体の頁を構成するために画像の一般的な配置を決定し、それからこれらの画像のフォーマッティングが必要である。一旦このフォーマッティングがなされてしまうと本発明による方法は画像に対する最大の拡大率により編集媒体の頁の向きを決定する。
本発明による方法は異なる寸法の複数の画像のフォーマッティングを自動化するよう設定する。まず初めに本発明による方法で用いられる種々の操作は短く示され、それからそれらの操作のそれぞれがより詳細に説明される。
【００１９】
図２の（Ａ）から（Ｄ）に概略示されるように第一の実施例では本発明の方法はポートレイトモードによるフォーマッティングを用いる。図２の（Ｂ），（Ｃ）により詳細に示されるように画像は水平方向に平行な行３１、３２、３３に配置される。シーケンスにより記載される第一の実施例は９画像以下の画像数に対して特に有効である。図２の（Ｂ）は偶数画像に対する可能な配列を示し、図２の（Ｃ）は奇数画像に対する可能な配列を示す。
【００２０】
一旦画像が行に配置されると後者は本発明による方法により決定された配列の小さい仮の画像を得るために頁の高さにより相互に配列される。この配置により得られる最大空間は決定され、計算は編集媒体の頁がポートレイトフォーマット又はランドスケープフォーマットのいずれかを示すときにこの頁に適合するよう小さな仮の画像に適用される拡大率を算出する。本発明による方法は最大の拡大を許容する編集媒体の頁に対するフォーマット又はポートレイト配置を選択する。
【００２１】
この選択の後に本発明の方法は図４で説明される編集パラメータを決定し、編集媒体の頁を編集する。
最大８枚の画像の編集に対して特に有効な第一の実施例では画像はまず全てが観察された通常の方向に向けられる。これはこれらの画像が可能なら比較するために同時に見られなければならない故に編集媒体の頁の有効な面の使用の最適化を損なうかもしれないが、使用者に都合の良い向きを保存することが賢明で望ましい。
【００２２】
一旦画像が正確に方向付けされると、この画像の寸法が決定される。使用された実施例では、寸法はＸ線に露出されるよう用いられる支持体の大きさにより決定される。しかしながら画像がデジタル画像である故に画像を表すマトリックスの画素の数を画素間の距離に乗算することにより画像の実際の寸法を決定しうる。斯くして式Ｍｘ．ｄｘを用いることにより画像の幅を決定することが可能であり、ここでＭｘは水平方向の画素の数を表し、ｄｘはこの方向の隣接する２画素間の距離を表し、また画像の高さは式Ｍｙ．ｄｙを用いることにより画像の幅を決定することが可能であり、ここでＭｙは垂直方向の画素の数を表し、ｄｙはこの方向の隣接する２画素間の距離を表す。デジタル画像はこの画像の有効な寸法を自動的に決定するようにこのようにして処理される。例えば画像が位置するゾーンのみを保存するように情報を含まない、画素密度が一定である端のゾーンを除去することが可能である。これは端のゾーンは比較的重要な四肢の放射線写真に対して容易に達成されうる。ある応用では編集媒体の頁の後に編集したいと望む画像の有効なゾーン又は複数の画像を視覚的に決定することがまた可能である。
【００２３】
一旦各画像の幅Ｌｉ及び高さＨｉの寸法が決定されるとこれらの画像は図２の（Ａ）に示されるように順序づけられる。画像の第一のリストは画像ｉの幅Ｌｉを主な基準とし、画像の高さＨｉを第二の基準とし、画像の年齢を別の第二の基準として第一の分類をなすことにより作成される。各基準は減少する方向に順序づけられる。画像の第二の順序づけられたリストはリストの第一の部分として同じように順序づけられた第一のリストの第一の半分を選択し、第二の部分として幅の主な基準が減少し、高さに関する第二の基準が増加し、選択的に年齢基準が減少するよう順序づけられた第二の半分とすることにより形成される。画像は図２に示されるように分布される。
【００２４】
２つの画像を同じ水平の行に関連づけるこの方法が奇数の画像が存在するときにこのリストで「０」から「２ｐ」に、偶数の画像が存在するときに「１」から「２ｐ」にインデキシングすることにより順序づけられた第一のリストから得られるものと等価である。画像の数が偶数である場合にゼロの幅及びゼロの高さの、仮想行ｋでｐ−ｊでインデックス付けされた画像をｐ＋ｌ＋ｊでインデックス付けされた画像に、０≦ｊ＜ｐ及びｋ＝ｐ−ｊで関連づけすることにより水平仮想行で画像を分布する「０」でインデックス付けされた概念的な画像が形成される。仮想行「０」は「０」でインデックス付けされた画像からなる。
【００２５】
各仮想行に対して画像の幅を加算することにより画像により占有される幅を一方で計算し、
Ｌrow p-j ＝Ｌp-j ＋Ｌp+1+j 
他方で仮想行の高さは
Ｈrow p-j ＝ｍａｘ（Ｈp-j ，Ｈp+1+j )
である。
【００２６】
仮想行（ｖｉｒｔｕａｌ  ｒｏｗ）の配置により形成された仮想画像の有効な幅は以下の式で決定される：
【００２７】
【数１】
0003960685.tif 000002
【００２８】
仮想画像の寸法が決定されたときに以下の式によりポートレイトフォーマットに配置された編集媒体にポートレイト分布でなされる画像の分布に適用される拡大係数が計算され：
【００２９】
【数２】
0003960685.tif 000003
【００３０】
以下の式によりランドスケープフォーマットに配置された編集媒体に配置された同様な分布に対して計算される。
【００３１】
【数３】
0003960685.tif 000004
【００３２】
どの拡大係数が最大で、この拡大に関するどのフォーマットが編集に用いられるかの決定がなされる。
図４の（Ａ）を参照するにより容易に理解するために、編集媒体がポートレイトフォーマットで配列される編集に対して以下に説明する。図を参照するに式Ｄxo＝（（Ｌl −Ｌo ）／２）Ｇp により編集媒体上の「０」でインデックス付けられた画像を中心化する値Ｄxoが決定される。画像間の水平間隔は式Ｄx row p-j ＝（１／３（Ｌl −Ｌrow p-j ））Ｇp により各行に対して決定される。行間の垂直間隔は式Ｄh ＝（１／ｚ（Ｌh −Ｙ））Ｇp により決定され、ここでｚは編集される画像の数が偶数の時ｐ＋１に等しく編集される画像の数が奇数の時ｐ＋２に等しい。行で画像は式Ｄy row p-j ＝（１／２（ｍａｘ（Ｈp-j ，Ｈp+1+j ）−Ｈi ）Ｇp により適用される垂直シフトを計算することにより垂直に中心化される。編集媒体がランドスケイプフォーマットに配置される時に計算されるパラメータは画像の同じポートレイト配置に対して研究される。図に示されるように式Ｄxo＝（（Ｌ’l −Ｌo ）／２）Ｇ’l により編集媒体上の「０」でインデックス付けられた画像を中心化する値Ｄxoが決定される。画像間の水平間隔は式Ｄx row p-j ＝（１／３（Ｌ’l −Ｌrow p-j ））Ｇ’l により各行に対して決定される。行間の垂直間隔は式Ｄh ＝（１／ｚ（Ｌ’l −Ｙ））Ｇ’l により決定され、ここでｚは編集される画像の数が偶数の時ｐ＋１に等しく編集される画像の数が奇数の時ｐ＋２に等しい。行で画像は式Ｄy row p-j ＝（１／２（ｍａｘ（Ｈp-j ，Ｈp+1+j ）−Ｈi ）Ｇ’l により適用される垂直シフトを計算することにより垂直に中心化される。
【００３３】
第二の実施例では最大８枚の画像を編集するために特に有効なランドスケイプ配置が画像を表示するために用いられる。配列のこの型は図３の（Ｂ），（Ｃ）に概略示され、ここで画像は垂直な平行行４１、４２、４３に配置される。前に示したようにそれらを観察する方向の通常の向きに画像を向け、各画像の寸法を決定した後にこれらの画像は図３の（Ａ）に示されるように順序づけられる。画像の第一のリストは第一に主な基準として画像ｉの高さＨｉで、第二の基準として画像ｉの幅Ｌｉで、及びその他の第二の基準として画像の年齢で分類される。各基準は減少する方向に順序づけられる。画像の第二の順序づけられたリストはリストの第一の部分として同じように順序づけられた第一のリストの第一の半分を選択し、第二の部分として高さの主な基準が増加し、幅に関する第二の基準が減少し、選択的に年齢基準が減少するよう順序づけられた第二の半分とすることにより形成される。画像は図２に示されるように分布される。
【００３４】
２つの画像を同じ垂直の行に関連づけるこの方法が奇数の画像が存在するときにこのリストで「０」から「２ｐ」に、偶数の画像が存在するときに「１」から「２ｐ」にインデキシングすることにより順序づけられた第一のリストから得られるものと等価であることは明らかである。画像の数が偶数である場合にゼロの幅及びゼロの高さの、仮想行ｋでｐ−ｊでインデックス付けされた画像をｐ＋ｌ＋ｊでインデックス付けされた画像に、０≦ｊ＜ｐ及びｋ＝ｐ−ｊで関連づけすることにより仮想行で画像を分布する「０」でインデックス付けされた抽象的な画像が形成される。仮想行「０」は「０」でインデックス付けされた画像からなる。
【００３５】
各仮想行に対して画像の幅を加算することにより画像により占有される幅を一方で計算し、
Ｈrow p-j ＝Ｈp-j ＋Ｈp+1+j 
他方で仮想行の高さは
Ｌ’row p-j ＝ｍａｘ（Ｌp-j ，Ｌp+1+j ）
である。
【００３６】
仮想行の配置により形成された仮想画像の有効な幅は以下の式で決定される：
【００３７】
【数４】
0003960685.tif 000005
【００３８】
仮想画像の寸法が決定されたときに以下の式によりランドスケイプフォーマットに配置された編集媒体にランドスケイプ分布でなされる画像の分布に適用される拡大係数が計算され：
【００３９】
【数５】
0003960685.tif 000006
【００４０】
以下の式によりポートレイトフォーマットに配置された編集媒体に配置された同様な分布に対して計算される。
【００４１】
【数６】
0003960685.tif 000007
【００４２】
どの拡大係数が最大で、この拡大に関するどのフォーマットが編集に用いられるかの決定がなされる。図４の（Ｂ）を参照するにより容易に理解するために、編集媒体がランドスケイプフォーマットで配列される編集に対して以下に説明する。図を参照するに式Ｄyo＝（（Ｌh −Ｌo ）／２）Ｇp により編集媒体上の「０」でインデックス付けられた画像を垂直に中心化する値Ｄyoが決定される。画像間の垂直間隔は式Ｄy row p-j ＝（１／３（Ｌh −Ｌ’row p-j ））Ｇp により各垂直行に対して決定される。行間の水平間隔は式Ｄl ＝（１／ｚ（Ｌl −Ｙ’））Ｇp により決定され、ここでｚは編集される画像の数が偶数の時ｐ＋１に等しく編集される画像の数が奇数の時ｐ＋２に等しい。行で画像は式Ｄy row p-j ＝（１／２（ｍａｘ（Ｈp-j ，Ｈp+1+j ）−Ｈi ）Ｇp により適用される水平シフトを計算することにより水平に中心化される。
【００４３】
編集媒体がランドスケイプフォーマットに配置される時に編集パラメータは画像の同じランドスケイプ配置に対して研究される。図に示されるように式Ｄyo＝（（Ｌ’h −Ｌo ）／２）Ｇ’l によりランドスケイプフォーマットで編集媒体上の「０」でインデックス付けられた画像を垂直に中心化する値Ｄyoが決定される。画像間の垂直間隔は式Ｄy row p-j ＝（１／３（Ｌ’h −Ｈrow p-j ））Ｇl により各行に対して決定される。行間の水平間隔は式Ｄh ＝（１／ｚ（Ｌ’l −Ｙ’））Ｇl により決定され、ここでｚは編集される画像の数が偶数の時ｐ＋１に等しく編集される画像の数が奇数の時ｐ＋２に等しい。行で画像ｉは式Ｄx row p-j ＝（１／２（ｍａｘ（Ｌp-j ，Ｌp+1+j ）−Ｌi ）Ｇl により適用される水平シフトを計算することにより垂直に中心化される。
【００４４】
本発明を実施する装置は編集前に第一の実施例による方法を実施し、次に第二の実施例による方法を実施することが可能であることは明らかである。この環境下では本発明による方法はポートレイトモード又はランドスケイプモードで配置されうる編集媒体でポートレイト又はランドスケイプ表示のいずれかで画像を編集する。
【００４５】
第三の実施例では使用された放射線写真プレートの大きさがポートレイトフォーマット又はランドスケイプフォーマットのいずれかを示す例えば１８ｃｍ  ｘ２４ｃｍ，２４ｃｍ  ｘ  ３０ｃｍ，３５ｃｍ  ｘ  ３５ｃｍ又は３５ｃｍ  ｘ  ４３ｃｍのような画像フォーマットとして用いられ、編集される異なる寸法の画像の所与の数を有する可能な所定の限られた数が存在する。故に強力なコンピュータの計算により、又は経験的に例えばポートレイト又はランドスケイプに対する編集媒体の特定のフォーマットで特定の配置を決定することが可能である。このような環境下では複数の入力テーブルは出力として種々の画像の配列、拡大、媒体の配置を提供可能である。
【００４６】
そのような配列は強力なコンピュータにより前もって計算しうる。コンピュータは全ての行で画像の配列を置き換え可能なようにプログラムされ、画像のこの全ての配列が編集媒体に適合するよう用いられる拡大率を自動的に計算する。一旦拡大率が計算されると異なるフォーマット及び／又は配列の２つの画像は置き換えられ、可能な新たな拡大率が計算される。この拡大率及びこの配列はこの比率が前に記録されたものより小さい場合にはメモリーに記憶される。それにより画像の置き換えは拡大係数がその最大である構成を得るように所定の回数やり直される。これらのプログラム技術はコンピュータ技術の当業者に明白であり、選択がその後の更なる最適化を許容するために最大拡大率をとらない構成を自発的に受け入れるよう選択される種々の技術を用いることを可能にすることは明らかである。適合された最終的な配置は拡大率が最大であるためのものである。そのような計算は前もって一回全てが実施され、その結果は全て編集システムに入力される故にもはや迅速である必要はない。これらの計算で２以上の画像は同じ行に配置されうる。例えばランドスケイプフォーマットで２つの３５ｃｍ  ｘ  ４３ｃｍプレート及びポートレイトフォーマットで３つの２４ｃｍ  ｘ  ３０ｃｍプレートに対して一行での２つの３５ｃｍ  ｘ  ４３ｃｍプレート及び他の行での３つの２４ｃｍ  ｘ  ３０ｃｍプレートは非常に小さなランドスケープフォーマットを生じる。何故ならば得られる全体の仮想画像は８８ｃｍの幅と６５ｃｍの高さを有するからである。３つの２４ｃｍ  ｘ  ３０ｃｍ画像の一つがランドスケイプモードで配置される場合に同じことが適用される。そのような配置は前に記載された最初の２つの実施例により提供され得ない。編集媒体の頁上の８以上の画像の編集に対して最適な配置を決定することを可能にする前の計算に頼ることは好ましいことは明らかである。
【００４７】
本発明は画像間で同じ拡大率を保つことが必要な応用で特に有効である。それはデジタルラジオグラフィー又は医療画像システムから得られる場合にも、そうでない場合にもデジタル画像に対して適用される。ラジオグラフィーでは画像の拡大率は「１」であることは明らかである。しかしながら本発明は１の拡大率の使用に制限されない。本発明は元の画像間に存在する拡大率の比を保存する。
【図面の簡単な説明】
【図１】（Ａ）は異なる向きの２つの同一のプレート上の同じ対象の２つの放射線写真に対する知られている技術により提案されている編集の概略を示し、（Ｂ）は異なる大きさの２つのプレート上の同じ対象の２つの放射線写真に対する知られている技術により提案されている編集の概略を示す。
【図２】本発明の第一の実施例による方法により用いられる段階を示す。
【図３】本発明の第二の実施例による方法により用いられる段階を示す。
【図４】編集媒体上の画像の最終編集中に考慮すべき種々の要素を示す。
【図５】本発明の方法を実施するために用いられるデジタル画像の自動編集のための知られているシステムを示す。
【符号の説明】
１１、１２  画像
１３、１４  編集ゾーン画像
３１、３２、３３、４１、４２、４３  行
１００  バス
１０１  ＣＴスキャナー１０１
１０２  フォトルミネッセントメモリープレートスキャナー１０２
１０３  超音波装置
１０４  デジタイズテーブル
１５０  編集ステーション
Ｌｉ  幅
Ｈｉ  高さ
ｋ  仮想行
Ｌ’l ，Ｌ’，Ｌl ，Ｌhh  寸法
【図１】
0003960685.tif 000008
【図２】
0003960685.tif 000009
【図３】
0003960685.tif 000010
【図４】
0003960685.tif 000011
【図５】
0003960685.tif 000012